(57)【要約】【課題】シンプルな構成で、観察者の視点の位置に応じた立体視画像を表示可能な立体表示装置、表示制御回路、および表示方法を得る。【解決手段】立体表示装置（表示装置１０）は、表示部１５と、左眼シャッタおよび右眼シャッタをそれぞれ有する１または複数のシャッタ眼鏡６１〜６３の各配置方位を検出する検出部（位置検出部１７）と、立体視画像を構成する左眼画像および右眼画像を表示部に時分割的に表示させるとともに、複数の視点の立体視画像を表示部に時分割的に表示させる表示制御部１４と、検出部により検出された１または複数のシャッタ眼鏡の方位に基づき、各視点の立体視画像の左眼画像および右眼画像が表示部に表示されるタイミングに同期して、その表示中の立体視画像の視点に対応する方位にあるシャッタ眼鏡の左眼シャッタおよび右眼シャッタをそれぞれ開閉動作させるシャッタ制御部（シャッタ眼鏡制御部１６）とを備える。【選択図】図１
2011250368.tif 000002
【特許請求の範囲】
【請求項１】
表示部と、
左眼シャッタおよび右眼シャッタをそれぞれ有する１または複数のシャッタ眼鏡の各配置方位を検出する検出部と、
立体視画像を構成する左眼画像および右眼画像を前記表示部に時分割的に表示させるとともに、複数の視点の立体視画像を前記表示部に時分割的に表示させる表示制御部と、
前記検出部により検出された１または複数のシャッタ眼鏡の方位に基づき、前記各視点の立体視画像の左眼画像および右眼画像が前記表示部に表示されるタイミングに同期して、その表示中の立体視画像の視点に対応する方位にあるシャッタ眼鏡の左眼シャッタおよび右眼シャッタをそれぞれ開閉動作させるシャッタ制御部と
を備えた立体表示装置。
【請求項２】
前記複数の視点の立体視画像を生成する画像生成部をさらに備えた
請求項１に記載の立体表示装置。
【請求項３】
前記検出部は、前記表示部を基準とした複数の方位ゾーンを設定し、前記１または複数のシャッタ眼鏡がそれぞれ前記複数の方位ゾーンのいずれに属するのかを検出する
請求項１に記載の立体表示装置。
【請求項４】
前記複数の視点の立体視画像は、前記複数の方位ゾーンにそれぞれ対応したものである
請求項３に記載の立体表示装置。
【請求項５】
前記複数の視点の立体視画像を生成する画像生成部をさらに備えた
請求項４に記載の立体表示装置。
【請求項６】
さらに、供給された画像フレームに基づいて前記複数の視差画像を復元するデコーダを備え、
前記画像生成部は前記複数の視差画像に基づいて複数の視点の前記立体視画像を生成する
請求項２および請求項５のいずれか１項に記載の立体表示装置。
【請求項７】
１シーンを構成する複数の視差画像が１枚の画像フレームを構成する
請求項６に記載の立体表示装置。
【請求項８】
１シーンを構成する複数の視差画像のそれぞれが１枚の画像フレームを構成する
請求項６に記載の立体表示装置。
【請求項９】
１シーンを構成する複数の視差画像が複数のグループに分割され、各グループの視差画像が１枚の画像フレームを構成する
請求項６に記載の立体表示装置。
【請求項１０】
前記検出部は撮影部を有し、その撮影部が撮影した画像に基づいて前記１または複数のシャッタ眼鏡の各配置方位を検出する
請求項１に記載の立体表示装置。
【請求項１１】
前記検出部は、前記シャッタ眼鏡が有する特徴点に基づいてそのシャッタ眼鏡を認識する
請求項１０に記載の立体表示装置。
【請求項１２】
前記画像生成部は、互いに隣り合う視点の立体視画像に共通の視差画像を含むように、複数の視点の立体視画像を生成する
請求項２および請求項５のいずれか１項に記載の立体表示装置。
【請求項１３】
前記共通の視差画像を表示している期間において、前記互いに隣り合う視点の立体視画像に対応する方位ゾーンのうち、第１の方位ゾーンのシャッタ眼鏡の左眼シャッタが開き右眼シャッタが閉じているときに、第２の方位ゾーンのシャッタ眼鏡の左眼シャッタが閉じ右眼シャッタが開いている
請求項１２に記載の立体表示装置。
【請求項１４】
左眼シャッタおよび右眼シャッタをそれぞれ有する１または複数のシャッタ眼鏡の各配置方位を検出する検出部と、
立体視画像を構成する左眼画像および右眼画像を表示部に時分割的に表示させるとともに、複数の視点の立体視画像を前記表示部に時分割的に表示させる表示制御部と、
前記検出部により検出された１または複数のシャッタ眼鏡の方位に基づき、前記各視点の立体視画像の左眼画像および右眼画像が表示されるタイミングに同期して、その表示中の立体視画像の視点に対応する方位にあるシャッタ眼鏡の左眼シャッタおよび右眼シャッタをそれぞれ開閉動作させるシャッタ制御部と
を備えた表示制御回路。
【請求項１５】
立体視画像を構成する左眼画像および右眼画像を時分割的に表示するとともに、複数の視点の立体視画像を時分割的に表示し、
左眼シャッタおよび右眼シャッタをそれぞれ有する１または複数のシャッタ眼鏡の各配置方位を検出し、
その検出結果に基づいて、前記各視点の立体視画像の左眼画像および右眼画像が前記表示部に表示されるタイミングに同期して、その表示中の立体視画像の視点に対応する方位にあるシャッタ眼鏡の左眼シャッタおよび右眼シャッタをそれぞれ開閉動作させる
表示方法。
【発明の詳細な説明】
【技術分野】
【０００１】
本発明は、立体視表示が可能な表示装置、ならびにそのような表示装置に用いられる表示制御回路および表示方法に関する。
【背景技術】
【０００２】
近年、立体視表示を実現できる表示装置が注目を集めている。立体視表示は、互いに視差のある左眼画像と右眼画像（視差画像）からなる立体視画像を表示するものであり、観察者は左右の目でそれぞれを見ることにより奥行きのある立体的な画像として認識することができる。
【０００３】
このような表示装置には、表示装置と観察者との相対的な位置関係が変化したときに、その観察者の視点の位置に応じて異なる視点の立体視画像を表示できるものがある。例えば、特許文献１には、撮影カメラを備え、その撮影カメラの撮影画像に基づいてその時の観察者の視点の位置を求め、その時の観察者の視点の位置に応じた視差画像をリアルタイムに生成して表示する表示装置が開示されている。この表示装置により、観察者が表示装置を観察する際その視点が動いたときにその視点に応じて視差画像が変化するため、観察者は、その表示画像をより立体的な画像として認識できるようになる。
【先行技術文献】
【特許文献】
【０００４】
【特許文献１】特開２００８−１４６２２１号公報
【発明の概要】
【発明が解決しようとする課題】
【０００５】
ところで、一般に、電子機器では、回路規模、回路に要求される性能、消費電力などの観点から、シンプルな動作が望まれている。しかしながら、特許文献１に開示された表示装置は、その時の観察者の視点の位置に応じて視差画像をリアルタイムに生成する必要があるため、処理動作が複雑になり、その処理の負荷が大きくなってしまうおそれがある。
【０００６】
また、表示装置の一般的な用途においては、複数の観察者がその表示画像を同時に見ることが多い。しかしながら、特許文献１には、このように複数の観察者がいる場合についての記述は一切ない。
【０００７】
本発明はかかる問題点に鑑みてなされたもので、その第１の目的は、シンプルな構成で、観察者の視点の位置に応じた立体視画像を表示可能な立体表示装置、表示制御回路、および表示方法を提供することにある。また、第２の目的は、複数の観察者の視点の位置に応じた立体視画像をそれぞれ表示可能な立体表示装置、表示制御回路、および表示方法を提供することにある。
【課題を解決するための手段】
【０００８】
本発明の立体表示装置は、表示部と、検出部と、表示制御部と、シャッタ制御部とを備えている。検出部は、立体視画像を構成する左眼画像および右眼画像を前記表示部に時分割的に表示させるとともに、複数の視点の立体視画像を前記表示部に時分割的に表示させるものである。表示制御部は、立体視画像を構成する左眼画像および右眼画像を表示部に時分割的に表示させるとともに、複数の視点の立体視画像を表示部に時分割的に表示させるものである。シャッタ制御部は、検出部により検出された１または複数のシャッタ眼鏡の方位に基づき、各視点の立体視画像の左眼画像および右眼画像が表示部に表示されるタイミングに同期して、その表示中の立体視画像の視点に対応する方位にあるシャッタ眼鏡の左眼シャッタおよび右眼シャッタをそれぞれ開閉動作させるものである。
【０００９】
本発明の表示制御回路は、検出部と、表示制御部と、シャッタ制御部とを備えている。検出部は、左眼シャッタおよび右眼シャッタをそれぞれ有する１または複数のシャッタ眼鏡の各配置方位を検出するものである。表示制御部は、立体視画像を構成する左眼画像および右眼画像を表示部に時分割的に表示させるとともに、複数の視点の立体視画像を表示部に時分割的に表示させるものである。シャッタ制御部は、検出部により検出された１または複数のシャッタ眼鏡の方位に基づき、各視点の立体視画像の左眼画像および右眼画像が表示部に表示されるタイミングに同期して、その表示中の立体視画像の視点に対応する方位にあるシャッタ眼鏡の左眼シャッタおよび右眼シャッタをそれぞれ開閉動作させるものである。
【００１０】
本発明の表示方法は、立体視画像を構成する左眼画像および右眼画像を時分割的に表示するとともに、複数の視点の立体視画像を時分割的に表示し、左眼シャッタおよび右眼シャッタをそれぞれ有する１または複数のシャッタ眼鏡の各配置方位を検出し、その検出結果に基づいて、各視点の立体視画像の左眼画像および右眼画像が表示されるタイミングに同期して、その表示中の立体視画像の視点に対応する方位にあるシャッタ眼鏡の左眼シャッタおよび右眼シャッタをそれぞれ開閉動作させるものである。
【００１１】
本発明の立体表示装置、表示制御回路、および表示方法では、シャッタ眼鏡は、表示部に表示された複数視点分の立体視画像に同期して開閉動作するように制御される。その際、シャッタ眼鏡は、検出部により検出された方位に基づいて、その方位に対応する立体視画像に対して開閉動作するように制御される。
【００１２】
本発明の立体表示装置では、例えば、複数の視点の立体視画像を生成する画像生成部をさらに備えるようにしてもよい。
【００１３】
例えば、検出部は、表示部を基準とした複数の方位ゾーンを設定し、１または複数のシャッタ眼鏡がそれぞれ複数の方位ゾーンのいずれに属するのかを検出するようにするのが望ましい。その場合、例えば、複数の視点の立体視画像は、上記複数の方位ゾーンにそれぞれ対応したものであることが望ましい。この場合でも、例えば、複数の視点の立体視画像を生成する画像生成部をさらに備えるようにしてもよい。
【００１４】
本発明の立体表示装置では、例えば、供給された画像フレームに基づいて複数の視差画像を復元するデコーダを備え、画像生成部は複数の視差画像に基づいて複数の視点の立体視画像を生成するようにしてもよい。この場合、例えば、１シーンを構成する複数の視差画像が１枚の画像フレームを構成するようにしてもよい。これは、いわゆるサイドバイサイドやオーバーアンダーに対応するものである。また、例えば、１シーンを構成する複数の視差画像のそれぞれが１枚の画像フレームを構成するようにしてもよい。これは、いわゆるフレームパッキングに対応するものである。あるいは、例えば、１シーンを構成する複数の視差画像が複数のグループに分割され、各グループの視差画像が１枚の画像フレームを構成するようにしてもよい。これは、サイドバイサイドとフレームパッキングとの組み合わせや、オーバーアンダーとフレームパッキングとの組み合わせに対応するものである。
【００１５】
検出部は、例えば、撮影部を有し、その撮影部が撮影した画像に基づいて１または複数のシャッタ眼鏡の各配置方位を検出するのが望ましい。この場合、検出部は、例えば、シャッタ眼鏡が有する特徴点に基づいてそのシャッタ眼鏡を認識するのが望ましい。
【００１６】
画像生成部は、例えば、互いに隣り合う視点の立体視画像に共通の視差画像を含むように、複数の視点の立体視画像を生成するようにしてもよい。この場合、共通の視差画像を表示している期間において、前記互いに隣り合う視点の立体視画像に対応する方位ゾーンのうち、第１の方位ゾーンのシャッタ眼鏡の左眼シャッタが開き右眼シャッタが閉じているときに、第２の方位ゾーンのシャッタ眼鏡の左眼シャッタが閉じ右眼シャッタが開いているのが望ましい。
【発明の効果】
【００１７】
本発明の立体表示装置、表示制御回路、および表示方法によれば、複数視点分の立体視画像を表示部に表示し、シャッタ眼鏡の方位に応じてシャッタの開閉動作を制御するようにしたので、シンプルな構成で観察者の視点の位置に応じた立体視画像を表示することができる。
【００１８】
また、複数のシャッタ眼鏡を用いた場合には、それぞれの観察者の視点の位置に応じた立体視画像を表示することができる。
【図面の簡単な説明】
【００１９】
【図１】本発明の実施の形態に係る表示装置の一構成例を表すブロック図である。
【図２】本発明の実施の形態に係る視差画像の一構成例を表す模式図である。
【図３】本発明の実施の形態に係る映像信号の一例を表す模式図である。
【図４】本発明の第１の実施の形態に係る立体視画像生成部の一動作例を表す模式図である。
【図５】本発明の実施の形態に係る位置検出部の一動作例を表す模式図である。
【図６】本発明の第１の実施の形態に係る表示システムの一動作例を表す模式図である。
【図７】本発明の第１の実施の形態に係る表示装置の一動作例を表す模式図である。
【図８】本発明の第１の実施の形態に係る表示システムの他の動作例を表す模式図である。
【図９】本発明の第１の実施の形態に係る表示装置の他の動作例を表す模式図である。
【図１０】本発明の第１の実施の形態に係る表示システムの他の動作例を表す模式図である。
【図１１】本発明の第２の実施の形態に係る立体視画像生成部の一動作例を表す模式図である。
【図１２】本発明の第２の実施の形態に係る表示システムの一動作例を表す模式図である。
【図１３】本発明の第２の実施の形態に係る表示装置の一動作例を表す模式図である。
【発明を実施するための形態】
【００２０】
以下、本発明の実施の形態について、図面を参照して詳細に説明する。なお、説明は以下の順序で行う。
１．第１の実施の形態
２．第２の実施の形態
【００２１】
＜１．第１の実施の形態＞
［構成例］
（全体構成例）
図１は、本発明の第１の実施の形態に係る表示システム１の一構成例を表すものである。なお、本発明の実施の形態に係る表示制御回路および表示方法は、本実施の形態により具現化されるので、併せて説明する。表示システム１は、観察者の位置に応じた立体視画像を表示する、立体視表示が可能な表示システムである。さらに、表示システム１は、観察者が複数の場合でも、各観察者の位置に応じた立体視画像をそれぞれ表示することができるものである。以下では、一例として、３人の観察者を対象とした表示システムについて説明する。表示システム１は、表示装置１０と、シャッタ眼鏡６１〜６３とを備えている。
【００２２】
表示装置１０は、チューナ１１と、画像デコード部１２と、立体視画像生成部１３と、表示駆動部１４と、表示部１５と、シャッタ眼鏡制御部１６と、位置検出部１７とを備えている。
【００２３】
チューナ１１は、アンテナ１９で受信した放送波に対して所定の受信処理等を行うことにより、映像信号Ｓおよび音声信号などを復元生成し、その映像信号Ｓを画像デコード部１２に供給するものである。映像信号Ｓは、この例では４枚の視差画像Ａ〜Ｄ（後述）を含んでいる。この映像信号Ｓは、図示しない放送局側の装置によりエンコードされて送信されたものである。
【００２４】
図２は、視差画像Ａ〜Ｄを表すものである。視差画像Ａ〜Ｄは、被写体を互いに異なる方向から見ることにより得られる画像である。すなわち、視差画像Ａ〜Ｄは、互いに視差のある画像である。この例では、被写体を、被写体に向かって左から見ることにより得られる画像から順に、視差画像Ａ〜Ｄとしている。すなわち、例えば、視差画像Ａは、被写体を、被写体に向かって左側から見ることにより得られる画像であり、視差画像Ｄは、被写体に向かって右側から見ることにより得られる画像である。
【００２５】
図３は、映像信号Ｓの構成を模式的に表すものであり、（Ａ）はその構成の一例を示し、（Ｂ）は他の構成例を示す。映像信号Ｓは、互いに視差のある左眼画像および右眼画像からなる立体画像のフォーマット（３Ｄフォーマット）として提案されている、サイドバイサイド、オーバーアンダー、およびフレームパッキングを組み合わせた方法によりエンコードされている。ここで、サイドバイサイドは、例えば、左眼画像をフレームの左側に配置するとともに、右眼画像をフレームの右側に配置することにより、一組の左眼画像および右眼画像を１枚の画像（フレーム）として取り扱うものである。オーバーアンダーは、例えば、左眼画像をフレームの上側に配置するとともに、右眼画像をフレームの下側に配置することにより、一組の左眼画像および右眼画像を１枚の画像（フレーム）として取り扱うものである。フレームパッキングは、例えば、左眼画像を第１フレームに配置するとともに、右眼画像を第２フレームに配置し、第１フレームと第２フレームとを一組として取り扱うものである。
【００２６】
図３（Ａ）に示した映像信号Ｓは、サイドバイサイドとフレームパッキングとを組み合わせてエンコードされたものである。すなわち、４枚の視差画像Ａ〜Ｄのうち、２枚の視差画像Ａ，Ｂおよび２枚の視差画像Ｃ，Ｄが、サイドバイサイドによりそれぞれ１枚のフレームＦに配置される。そして、それらの２枚のフレームＦがフレームパッキングにより一組として取り扱われる。
【００２７】
図３（Ｂ）に示した映像信号Ｓは、オーバーアンダーとフレームパッキングとを組み合わせてエンコードされたものである。すなわち、４枚の視差画像Ａ〜Ｄのうち、２枚の視差画像Ａ，Ｂおよび２枚の視差画像Ｃ，Ｄが、オーバーアンダーによりそれぞれ１枚のフレームＦに配置される。そして、それらの２枚のフレームＦがフレームパッキングにより一組として取り扱われる。
【００２８】
映像信号Ｓは、上述した４枚の視差画像Ａ〜Ｄに対応する画像情報に加え、図２に示したような、視差画像Ａ〜Ｄの順番に関する付加情報を含んでいる。この付加情報により、画像デコード部１２（後述）は、４枚の視差画像Ａ〜Ｄをその順番により復元生成することができるようになっている。
【００２９】
画像デコード部１２は、チューナ１１から供給された映像信号Ｓをデコードするものである。具体的には、画像デコード部１２は、図３（Ａ），（Ｂ）に示したような映像信号Ｓをデコードし、４枚の視差画像Ａ〜Ｄをそれぞれ１枚の画像として復元生成する機能を有している。
【００３０】
立体視画像生成部１３は、画像デコード部１２から供給された４枚の視差画像Ａ〜Ｄに基づいて、それぞれが一対の左眼画像と右眼画像を有する複数の立体視画像を生成するものである。立体視画像生成部１３は、設定された視点数に基づいて、その視点数分の立体視画像を生成する。すなわち、例えば、視点数が２視点に設定された場合には、立体視画像生成部１３は、２視点分の立体視画像Ｐ１〜Ｐ２（後述）を生成する。また、視点数が３視点に設定された場合には、立体視画像生成部１３は、３視点分の立体視画像Ｑ１〜Ｑ３（後述）を生成する。
【００３１】
図４は、立体視画像生成部１３の動作を模式的に表すものであり、（Ａ）は２視点の場合を示し、（Ｂ）は３視点の場合を示す。
【００３２】
２視点の場合には、図４（Ａ）に示したように、立体視画像生成部１３は、視差画像Ａ，Ｂに基づいて立体視画像Ｐ１（左眼画像Ｌ１および右眼画像Ｒ１）を生成し、視差画像Ｃ，Ｄに基づいて立体視画像Ｐ２（左眼画像Ｌ２および右眼画像Ｒ２）を生成する。具体的には、立体視画像Ｐ１の生成では、立体視画像生成部１３は、視差画像Ａをそのまま用いて左眼画像Ｌ１を生成するとともに、視差画像Ｂをそのまま用いて右眼画像Ｒ１を生成する。立体視画像Ｐ２の生成では、立体視画像生成部１３は、視差画像Ｃをそのまま用いて左眼画像Ｌ２を生成するとともに、視差画像Ｄをそのまま用いて右眼画像Ｒ２を生成する。
【００３３】
これにより、立体視画像Ｐ１は、被写体を、被写体に向かって左側の視点から見るときの画像となり、立体視画像Ｐ２は右側の視点から見るときの画像となる。
【００３４】
３視点の場合には、図４（Ｂ）に示したように、立体視画像生成部１３は、視差画像Ａに基づいて立体視画像Ｑ１（左眼画像Ｌ１および右眼画像Ｒ１）を生成し、視差画像Ｂ，Ｃに基づいて立体視画像Ｑ２（左眼画像Ｌ２および右眼画像Ｒ２）を生成し、視差画像Ｄに基づいて立体視画像Ｑ３（左眼画像Ｌ３および右眼画像Ｒ３）を生成する。具体的には、立体視画像Ｑ１の生成では、立体視画像生成部１３は、視差画像Ａをそのまま用いて左眼画像Ｌ１を生成するとともに、視差画像Ａに所定の視差生成処理を施すことにより視差画像Ａ２を生成し、これを用いて右眼画像Ｒ１を生成する。立体視画像Ｑ２の生成では、立体視画像生成部１３は、視差画像Ｂをそのまま用いて左眼画像Ｌ２を生成するとともに、視差画像Ｃをそのまま用いて右眼画像Ｒ２を生成する。そして、立体視画像Ｑ３の生成では、立体視画像生成部１３は、視差画像Ｄをそのまま用いて左眼画像Ｌ３を生成するとともに、視差画像Ｄに所定の視差生成処理を施すことにより視差画像Ｄ２を生成し、これを用いて右眼画像Ｒ３を生成する。
【００３５】
これにより、立体視画像Ｑ１は、被写体を、被写体に向かって左側の視点から見るときの画像となり、立体視画像Ｑ２は正面の視点から見るときの画像となり、立体視画像Ｑ３は右側の視点から見るときの画像となる。
【００３６】
立体視画像生成部１３では、この例では、視差画像Ａ〜Ｄは、一つの立体視画像を生成するために使用されるようになっている。つまり、２視点の場合において、視差画像Ａ，Ｂは、立体視画像Ｐ１を生成する為だけに使用され、視差画像Ｃ，Ｄは、立体視画像Ｐ２を生成する為だけに使用される。また、３視点の場合において、視差画像Ａは、立体視画像Ｑ１を生成する為だけに使用され、視差画像Ｂ，Ｃは、立体視画像Ｑ２を生成する為だけに使用され、視差画像Ｄは、立体視画像Ｑ３を生成する為だけに使用される。
【００３７】
表示駆動部１４は、視差画像生成部１３から供給された複数視点分の立体視画像（２視点の場合には立体視画像Ｐ１，Ｐ２、３視点の場合には立体視画像Ｑ１〜Ｑ３）を含む信号に基づいて表示部１５を駆動するとともに、シャッタ眼鏡１６が表示部１５に表示された立体視画像と同期して動作するように、シャッタ眼鏡制御部１６に対して制御信号を供給するものである。
【００３８】
表示部１５は、表示駆動部１４から供給される駆動信号に基づいて複数視点分の立体視画像を表示するものである。具体的には、表示部１５は、後述するように、２視点の場合には、立体視画像Ｐ１の左眼画像Ｌ１および右眼画像Ｒ１、ならびに立体視画像Ｐ２の左眼画像Ｌ２および右眼画像Ｒ２を交互に時分割的に表示する。また、３視点の場合には、表示部１５は、立体視画像Ｑ１の左眼画像Ｌ１および右眼画像Ｒ１、立体視画像Ｑ２の左眼画像Ｌ２および右眼画像Ｒ２、ならびに立体視画像Ｑ３の左眼画像Ｌ３および右眼画像Ｒ３を交互に時分割的に表示するようになっている。
【００３９】
シャッタ眼鏡制御部１６は、表示駆動部１４および位置検出部１７から供給される制御信号に基づいてシャッタ眼鏡６１〜６３を制御するものである。具体的には、シャッタ眼鏡制御部１６は、シャッタ眼鏡６１〜６３に対してシャッタ制御信号ＣＴＬ１〜ＣＴＬ３を送信し、シャッタ眼鏡６１〜６３の左眼用シャッタ６１Ｌ〜６３Ｌ（後述）および右眼用シャッタ６１Ｒ〜６３Ｒ（後述）を、表示部１５に表示された複数視点分の立体視画像のそれぞれと同期して開閉動作させるように制御する機能を有している。
【００４０】
シャッタ眼鏡６１〜６３は、観察者が身につける眼鏡型のシャッタ装置であり、シャッタ眼鏡６１は、左眼用シャッタ６１Ｌおよび右眼用シャッタ６１Ｒを有し、シャッタ眼鏡６２は、左眼用シャッタ６２Ｌおよび右眼用シャッタ６２Ｒを有し、シャッタ眼鏡６３は、左眼用シャッタ６３Ｌおよび右眼用シャッタ６３Ｒを有している。これらの左眼用シャッタ６１Ｌ〜６３Ｌおよび右眼用シャッタ６１Ｒ〜６３Ｒは、例えば液晶シャッタなどの遮光シャッタにより構成されている。これらの左眼用シャッタ６１Ｌ〜６３Ｌおよび右眼用シャッタ６１Ｒ〜６３Ｒにおける遮光状態（開状態および閉状態）は、シャッタ制御信号ＣＴＬ１〜ＣＴＬ３によりそれぞれ制御されるようになっている。また、シャッタ眼鏡６１〜６３は、例えば、特徴的な色、模様、形状など（特徴点）を有している。具体的には、例えば、シャッタ眼鏡６１〜６３は、特徴的なフレーム形状を有していてもよい。これにより、後述するように、位置検出部１７が、シャッタ眼鏡６１〜６３を撮影した画像からシャッタ眼鏡６１〜６３を認識し、その位置を把握することができるようになっている。
【００４１】
位置検出部１７は、表示部１５とシャッタ眼鏡６１〜６３との相対的な位置関係を検出するものである。位置検出部１７は、例えばカメラ（撮影部）を有し、そのカメラがシャッタ眼鏡６１〜６３および観察者を撮影した画像に基づいて、シャッタ眼鏡６１〜６３を認識し、表示部１５とシャッタ眼鏡６１〜６３との相対的な位置関係を検出できるようになっている。なお、位置検出部１７によるシャッタ眼鏡６１〜６３の認識手段は、カメラの撮影画像による画像認識に限定されるものではなく、例えば、赤外線などの無線を用いたものであってもよい。この場合、上記特徴点は、例えば光源であってもよく、あるいは特徴的な形状であってもよい。
【００４２】
図５は、位置検出部１７の位置検出動作を模式的に表すものであり、（Ａ）は２視点の場合を示し、（Ｂ）は３視点の場合を示す。位置検出部１７は、シャッタ眼鏡６１〜６３および観察者を撮影し、シャッタ眼鏡６１〜６３の特徴点に基づいてシャッタ眼鏡６１〜６３を認識する。そして、位置検出部１７は、シャッタ眼鏡６１〜６３が、予め定められた領域のうちのどの領域にあるのかを検出する。具体的には、位置検出部１７は、２視点の場合には、シャッタ眼鏡６１〜６３が領域Ｙ１，Ｙ２のうちのどちらの領域にあるのかを検出し、３視点の場合には、シャッタ眼鏡６１〜６３が領域Ｚ１〜Ｚ３のうちのどの領域にあるのかを検出する。そして、位置検出部１７は、その検出結果をシャッタ眼鏡制御部１６に対して供給するようになっている。
【００４３】
この構成により、表示装置１０では、位置検出部１７が、シャッタ眼鏡６１〜６３の位置（領域Ｙ１，Ｙ２，Ｚ１〜Ｚ３）をそれぞれ検出する。そして、シャッタ眼鏡制御部１６は、シャッタ眼鏡６１〜６３のそれぞれに対して、複数視点分の立体視画像からそのシャッタ眼鏡６１〜６３の位置に応じた立体視画像を選択し、観察者９１〜９３がシャッタ眼鏡６１〜６３のそれぞれを用いてその選択された立体視画像を見えるように、シャッタ眼鏡６１〜６３を制御するようになっている。具体的には、２視点の場合、例えば、位置検出部１７が、シャッタ眼鏡６１が領域Ｙ１にあることを検出した場合には、シャッタ眼鏡制御部１６は、シャッタ眼鏡６１を身に付けた観察者９１が、領域Ｙ１に応じた立体視画像Ｐ１を観察できるように、シャッタ眼鏡６１を制御する。また、３視点の場合、例えば、位置検出部１７が、シャッタ眼鏡６１が領域Ｚ３にあることを検出した場合には、シャッタ眼鏡制御部１６は、シャッタ眼鏡６１を身に付けた観察者９１が、領域Ｚ３に応じた立体視画像Ｑ３を観察できるように、シャッタ眼鏡６１を制御するようになっている。
【００４４】
ここで、表示装置１０は、本発明における「立体表示装置」の一具体例に対応する。位置検出部１７は、本発明における「検出部」の一具体例に対応する。表示駆動部１４は、本発明における「表示制御部」の一具体例に対応する。シャッタ眼鏡制御部１６は、本発明における「シャッタ制御部」の一具体例に対応する。立体視画像生成部１３は、本発明における「画像生成部」の一具体例に対応する。領域Ｙ１，Ｙ２，Ｚ１〜Ｚ３は、本発明における「方位ゾーン」の一具体例に対応する。画像デコード部１２は、本発明における「デコーダ」の一具体例に対応する。
【００４５】
［動作および作用］
続いて、本実施の形態の表示システム１の動作および作用について説明する。
【００４６】
（全体動作概要）
チューナ１１は、アンテナ１９で受信した放送波に対して所定の受信処理等を行うことにより、映像信号Ｓおよび音声信号などを復元生成し、その映像信号Ｓを画像デコード部１２に供給する。画像デコード部１２は、チューナ１１から供給された映像信号Ｓをデコードし、４枚の視差画像Ａ〜Ｄを復元生成する。立体視画像生成部１３は、画像デコード部１２から供給された４枚の視差画像Ａ〜Ｄ、および設定された視点数に基づいて、複数視点分の立体視画像を生成する。表示駆動部１４は、視差画像生成部１３から供給された複数視点分の立体視画像を含む信号に基づいて、表示部１５およびシャッタ眼鏡制御部１６を制御する。表示部１５は、表示駆動部１４から供給される駆動信号に基づいて立体視画像を時分割的に表示する。シャッタ眼鏡制御部１６は、表示駆動部１４および位置検出部１７から供給される制御信号に基づいてシャッタ眼鏡６１〜６３を制御する。シャッタ眼鏡６１〜６３は、シャッタ眼鏡制御部１６から供給されるシャッタ制御信号ＣＴＬ１〜ＣＴＬ３に基づいて、左眼用シャッタ６１Ｌ〜６３Ｌおよび右眼用シャッタ６１Ｒ〜６３Ｒをそれぞれ開閉動作する。位置検出部１７は、表示部１５とシャッタ眼鏡６１〜６３との相対的な位置関係を検出する。
【００４７】
次に、いくつかの例を用いて、表示システム１の詳細動作を説明する。
【００４８】
（２視点の場合の詳細動作例）
図６は、２視点の立体視画像Ｐ１，Ｐ２を表示する場合の、表示システム１の一動作例を表すものである。図６において、（Ａ）は立体視画像Ｐ１の左眼画像Ｌ１を表示したときの動作を示し、（Ｂ）は立体視画像Ｐ１の右眼画像Ｒ１を表示したときの動作を示し、（Ｃ）は立体視画像Ｐ２の左眼画像Ｌ２を表示したときの動作を示し、（Ｄ）は立体視画像Ｐ２の右眼画像Ｒ２を表示したときの動作を示す。この例では、３人の観察者９１〜９３のうち、２人（観察者９１，９２）が領域Ｙ１から表示装置１０を観察し、１人（観察者９３）が領域Ｙ２から表示装置１０を観察している。
【００４９】
表示装置１０が立体視画像Ｐ１（左眼画像Ｌ１および右眼画像Ｒ１）を表示しているとき、表示装置１０は、図６（Ａ），（Ｂ）に示したように、立体視画像Ｐ１に対応する領域Ｙ１にあるシャッタ眼鏡６１，６２に対して、シャッタを開閉動作するように制御を行うとともに、領域Ｙ１にはないシャッタ眼鏡６３に対して、シャッタを閉状態にするように制御を行う。
【００５０】
シャッタ眼鏡６１，６２では、表示装置１０が立体視画像Ｐ１の左眼画像Ｌ１を表示しているとき、図６（Ａ）に示したように、左眼用シャッタ６１Ｌ，６２Ｌが開状態となるとともに、右眼用シャッタ６１Ｒ，６２Ｒが閉状態となる。このとき、観察者９１，９２は左眼で立体視画像Ｐ１の左眼画像Ｌ１を見る。表示装置１０が立体視画像Ｐ１の右眼画像Ｒ１を表示しているとき、シャッタ眼鏡６１，６２では、図６（Ｂ）に示したように、左眼用シャッタ６１Ｌ，６２Ｌが閉状態となるとともに、右眼用シャッタ６１Ｒ，６２Ｒが開状態となる。このとき、観察者９１，９２は右眼で立体視画像Ｐ１の右眼画像Ｒ１を見る。このように、観察者９１，９２は、互いに視差のある左眼画像Ｌ１および右眼画像Ｒ１をそれぞれの目で見ることにより、奥行きのある立体的な画像として感じることとなる。
【００５１】
次に、表示装置１０が立体視画像Ｐ２（左眼画像Ｌ２および右眼画像Ｒ２）を表示しているとき、表示装置１０は、図６（Ｃ），（Ｄ）に示したように、立体視画像Ｐ２に対応する領域Ｙ２にあるシャッタ眼鏡６３に対して、シャッタを開閉動作するように制御を行うとともに、領域Ｙ２にはないシャッタ眼鏡６１，６２に対して、シャッタを閉状態にするように制御を行う。
【００５２】
このとき、シャッタ眼鏡６３は、上述した立体視画像Ｐ１に対するシャッタ眼鏡６１，６２の動作（図６（Ａ），（Ｂ））と全く同様に動作する。すなわち、シャッタ眼鏡６３では、表示装置１０が立体視画像Ｐ２の左眼画像Ｌ２を表示しているとき、図６（Ｃ）に示したように、左眼用シャッタ６３Ｌが開状態となるとともに、右眼用シャッタ６３Ｒが閉状態となる。このとき、観察者９３は左眼で立体視画像Ｐ２の左眼画像Ｌ２を見る。表示装置１０が立体視画像Ｐ２の右眼画像Ｒ２を表示しているとき、シャッタ眼鏡６３では、図６（Ｄ）に示したように、左眼用シャッタ６３Ｌが閉状態となるとともに、右眼用シャッタ６３Ｒが開状態となる。このとき、観察者９３は右眼で立体視画像Ｐ２の右眼画像Ｒ２を見る。このように、観察者９３は、互いに視差のある左目用画像Ｌ２および右目用画像Ｒ２をそれぞれの目で見ることにより、奥行きのある立体的な画像として感じることとなる。
【００５３】
表示システム１は、図６（Ａ）〜（Ｄ）に示した動作を繰り返す。これにより、観察者９１，９２は、一連の立体視画像Ｐ１（左眼画像Ｌ１および右眼画像Ｒ１）からなる映像を、観察者９３は、一連の立体視画像Ｐ２（左眼画像Ｌ２および右眼画像Ｒ２）からなる映像を、それぞれ奥行きのある立体的な映像として認識することができる。
【００５４】
図７は、表示装置１０における立体視画像の一表示例を表すものであり、（Ａ）は各画像の表示時間が１／６０秒の場合を示し、（Ｂ）は１／１２０秒の場合を示し、（Ｃ）は１／２４０秒の場合を示す。
【００５５】
各画像の表示時間を１／６０秒にした場合（表示例Ｎ１）では、表示装置１０は、図７（Ａ）に示したように、１／１５秒（＝４×１／６０秒）に一回の頻度で立体視画像を書き換える。この場合、各観察者は、１／３０秒（＝２×１／６０秒）の時間において左眼画像および右眼画像を観察し、その後、１／３０秒（＝２×１／６０秒）の時間の黒画状態を経た後に、次の左眼画像および右眼画像を観察する。すなわち、例えば、観察者９１は、まず、１／３０秒の間に、左眼用シャッタ６１Ｌおよび右眼用シャッタ６１Ｒを通して左眼画像Ｌ１および右眼画像Ｒ１をそれぞれ観察する。そして次の１／３０秒の間では、左眼用シャッタ６１Ｌおよび右眼用シャッタ６１Ｒが閉状態（黒画状態）になる。その後、観察者９１は、次の左眼画像および右眼画像を観察する。
【００５６】
各画像の表示時間を１／１２０秒にした場合（表示例Ｎ２）では、表示装置１０は、図７（Ｂ）に示したように、１／３０秒（＝４×１／１２０秒）に一回の頻度で立体視画像を書き換える。この場合、各観察者は、１／６０秒（＝２×１／１２０秒）の時間において左眼画像および右眼画像を観察し、その後、１／６０秒（＝２×１／１２０秒）の時間の黒画状態を経た後に、次の左眼画像および右眼画像を観察する。
【００５７】
各画像の表示時間を１／２４０秒にした場合（表示例Ｎ３）では、表示装置１０は、図７（Ｃ）に示したように、１／６０秒（＝４×１／２４０秒）に一回の頻度で立体視画像を書き換える。各観察者は、１／１２０秒（＝２×１／２４０秒）の時間において左眼画像および右眼画像を観察し、その後、１／１２０秒（＝２×１／２４０秒）の時間の黒画状態を経た後に、次の左眼画像および右眼画像を観察する。
【００５８】
表示例Ｎ３は、黒画状態が連続する期間が短く、観察者がちらつきを感じる可能性は低いため望ましい。なお、表示装置１０の動作は、この表示例Ｎ３に限定されるものではなく、画像品質に影響のない範囲で、例えば表示例Ｎ２のような画像の書き換え頻度（リフレッシュレート）の低い条件を使用してもよいし、逆にリフレッシュレートの高い条件を使用してもよい。表示装置１０は、例えば、このようにリフレッシュレートを調整するための調整機能を有していてもよい。
【００５９】
（３視点の場合の詳細動作例）
図８は、３視点の立体視画像Ｑ１〜Ｑ３を表示する場合の、表示システム１の一動作例を表すものである。図８において、（Ａ）は立体視画像Ｑ１の左眼画像Ｌ１を表示したときの動作を示し、（Ｂ）は立体視画像Ｑ１の右眼画像Ｒ１を表示したときの動作を示し、（Ｃ）は立体視画像Ｑ２の左眼画像Ｌ２を表示したときの動作を示し、（Ｄ）は立体視画像Ｑ２の右眼画像Ｒ２を表示したときの動作を示し、（Ｅ）は立体視画像Ｑ３の左眼画像Ｌ３を表示したときの動作を示し、（Ｆ）は立体視画像Ｑ３の右眼画像Ｒ３を表示したときの動作を示す。この例では、観察者９１が領域Ｚ１から表示装置１０を観察し、観察者９２が領域Ｚ２から表示装置１０を観察し、観察者９３が領域Ｚ３から表示装置１０を観察している。
【００６０】
表示装置１０が立体視画像Ｑ１（左眼画像Ｌ１および右眼画像Ｒ１）を表示しているとき、表示装置１０は、図８（Ａ），（Ｂ）に示したように、立体視画像Ｑ１に対応する領域Ｚ１にあるシャッタ眼鏡６１に対して、シャッタを開閉動作するように制御を行うとともに、領域Ｚ１にはないシャッタ眼鏡６２，６３に対して、シャッタを閉状態にするように制御を行う。観察者９１は、互いに視差のある左眼画像Ｌ１および右眼画像Ｒ１をそれぞれの目で見ることにより、奥行きのある立体的な画像として感じることとなる。
【００６１】
次に、表示装置１０が立体視画像Ｑ２（左眼画像Ｌ２および右眼画像Ｒ２）を表示しているとき、表示装置１０は、図８（Ｃ），（Ｄ）に示したように、立体視画像Ｑ２に対応する領域Ｚ２にあるシャッタ眼鏡６２に対して、シャッタを開閉動作するように制御を行うとともに、領域Ｚ２にはないシャッタ眼鏡６１，６３に対して、シャッタを閉状態にするように制御を行う。観察者９２は、互いに視差のある左目用画像Ｌ２および右目用画像Ｒ２をそれぞれの目で見ることにより、奥行きのある立体的な画像として感じることとなる。
【００６２】
そして、表示装置１０が立体視画像Ｑ３（左眼画像Ｌ３および右眼画像Ｒ３）を表示しているとき、表示装置１０は、図８（Ｅ），（Ｆ）に示したように、立体視画像Ｑ３に対応する領域Ｚ３にあるシャッタ眼鏡６３に対して、シャッタを開閉動作するように制御を行うとともに、領域Ｚ３にはないシャッタ眼鏡６１，６２に対して、シャッタを閉状態にするように制御を行う。観察者９３は、互いに視差のある左眼画像Ｌ３および右眼画像Ｒ３をそれぞれの目で見ることにより、奥行きのある立体的な画像として感じることとなる。
【００６３】
表示システム１は、図８（Ａ）〜（Ｆ）に示した動作を繰り返す。これにより、観察者９１は、一連の立体視画像Ｑ１（左眼画像Ｌ１および右眼画像Ｒ１）からなる映像を、観察者９２は、一連の立体視画像Ｑ２（左眼画像Ｌ２および右眼画像Ｒ２）からなる映像を、観察者９３は、一連の立体視画像Ｑ３（左眼画像Ｌ３および右眼画像Ｒ３）からなる映像を、それぞれ奥行きのある立体的な映像として認識することができる。
【００６４】
図９は、表示装置１０における立体視画像の一表示例を表すものであり、（Ａ）は各画像の表示時間が１／６０秒の場合を示し、（Ｂ）は１／１２０秒の場合を示し、（Ｃ）は１／２４０秒の場合を示す。
【００６５】
各画像の表示時間を１／６０秒にした場合（表示例Ｍ１）では、表示装置１０は、図９（Ａ）に示したように、１／１０秒（＝６×１／６０秒）に一回の頻度で立体視画像を書き換える。この場合、各観察者は、１／３０秒（＝２×１／６０秒）の時間において左眼画像および右眼画像を観察し、その後、１／１５秒（＝４×１／６０秒）の時間の黒画状態を経た後に、次の左眼画像および右眼画像を観察する。
【００６６】
各画像の表示時間を１／１２０秒にした場合（表示例Ｍ２）では、表示装置１０は、図９（Ｂ）に示したように、１／２０秒（＝６×１／１２０秒）に一回の頻度で立体視画像を書き換える。この場合、各観察者は、１／６０秒（＝２×１／１２０秒）の時間において左眼画像および右眼画像を観察し、その後、１／３０秒（＝４×１／１２０秒）の時間の黒画状態を経た後に、次の左眼画像および右眼画像を観察する。
【００６７】
各画像の表示時間を１／２４０秒にした場合（表示例Ｍ３）では、表示装置１０は、図９（Ｃ）に示したように、１／４０秒（＝６×１／２４０秒）に一回の頻度で立体視画像を書き換える。この場合、各観察者は、１／１２０秒（＝２×１／２４０秒）の時間において左眼画像および右眼画像を観察し、その後、１／６０秒（＝４×１／２４０秒）の時間の黒画状態を経た後に、次の左眼画像および右眼画像を観察する。
【００６８】
表示例Ｍ３は、２視点の場合と同様に、黒画状態が連続する期間が短く、観察者がちらつきを感じる可能性は低いため望ましい。なお、表示装置１０の動作は、表示例Ｍ３に限定されるものではなく、画像品質に影響のない範囲で、例えば表示例Ｍ２のようなリフレッシュレートの低い条件を使用してもよいし、逆にリフレッシュレートの高い条件を使用してもよい。表示装置１０は、例えば、このようにリフレッシュレートを調整するための調整機能を有していてもよい。また、表示装置１０は、例えば、設定された視点数によって、リフレッシュレートを切り替えるようにしてもよい。この場合、表示装置１０は、例えば、視点数が多い場合はリフレッシュレートを高くし、視点数が少ない場合はリフレッシュレートを低くするようにしてもよい。
【００６９】
図８では、観察者９１〜９３は、それぞれ別の領域Ｚ１〜Ｚ３から表示装置１０を観察する例を示したが、これに限定されるものではなく、例えば、複数の観察者が１つの領域から表示装置１０を観察してもよい。以下に、その例を示す。
【００７０】
図１０は、３視点の立体視画像Ｑ１〜Ｑ３を表示する場合の、表示システム１の一動作例を表すものである。図１０において、（Ａ）は立体視画像Ｑ１の左眼画像Ｌ１を表示したときの動作を示し、（Ｂ）は立体視画像Ｑ１の右眼画像Ｒ１を表示したときの動作を示し、（Ｃ）は立体視画像Ｑ２の左眼画像Ｌ２を表示したときの動作を示し、（Ｄ）は立体視画像Ｑ２の右眼画像Ｒ２を表示したときの動作を示し、（Ｅ）は立体視画像Ｑ３の左眼画像Ｌ３を表示したときの動作を示し、（Ｆ）は立体視画像Ｑ３の右眼画像Ｒ３を表示したときの動作を示す。この例では、観察者９１，９２が領域Ｚ１から表示装置１０を観察し、観察者９３が領域Ｚ２から表示装置１０を観察している。言い換えれば、この例では、領域Ｚ３には観察者はいない。
【００７１】
表示装置１０が立体視画像Ｑ１（左眼画像Ｌ１および右眼画像Ｒ１）を表示しているとき、表示装置１０は、図１０（Ａ），（Ｂ）に示したように、立体視画像Ｑ１に対応する領域Ｚ１にあるシャッタ眼鏡６１に対して、シャッタを開閉動作するように制御を行うとともに、領域Ｚ１にはないシャッタ眼鏡６２，６３に対して、シャッタを閉状態にするように制御を行う。観察者９１は、互いに視差のある左眼画像Ｌ１および右眼画像Ｒ１をそれぞれの目で見ることにより、奥行きのある立体的な画像として感じることとなる。
【００７２】
次に、表示装置１０が立体視画像Ｑ２（左眼画像Ｌ２および右眼画像Ｒ２）を表示しているとき、表示装置１０は、図１０（Ｃ），（Ｄ）に示したように、立体視画像Ｑ２に対応する領域Ｚ２にあるシャッタ眼鏡６２，６３に対して、シャッタを開閉動作するように制御を行うとともに、領域Ｚ２にはないシャッタ眼鏡６１に対して、シャッタを閉状態にするように制御を行う。観察者９２，９３は、互いに視差のある左目用画像Ｌ２および右目用画像Ｒ２をそれぞれの目で見ることにより、奥行きのある立体的な画像として感じることとなる。
【００７３】
そして、表示装置１０が立体視画像Ｑ３（左眼画像Ｌ３および右眼画像Ｒ３）を表示しているとき、表示装置１０は、図１０（Ｅ），（Ｆ）に示したように、領域Ｚ３にはないシャッタ眼鏡６１〜６３に対して、シャッタを閉状態にするように制御を行う。
【００７４】
表示システム１は、図１０（Ａ）〜（Ｆ）に示した動作を繰り返す。これにより、観察者９１は、一連の立体視画像Ｑ１（左眼画像Ｌ１および右眼画像Ｒ１）からなる映像を、観察者９２，９３は、一連の立体視画像Ｑ２（左眼画像Ｌ２および右眼画像Ｒ２）からなる映像を、それぞれ奥行きのある立体的な映像として認識することができる。
【００７５】
［効果］
以上のように本実施の形態では、複数視点分の立体視画像を予め生成し、位置検出部１７が検出したシャッタ眼鏡の方位に応じて、そのシャッタ眼鏡のシャッタの開閉動作を制御ようにしたので、シンプルな構成で観察者の視点の位置に応じた立体視画像を表示することができる。
【００７６】
また、本実施の形態では、位置検出部１７が複数のシャッタ眼鏡の方位を検出し、シャッタ眼鏡制御部１６が複数のシャッタ眼鏡のシャッタの開閉動作を制御できるようにしたので、複数の観察者がいる場合でも、観察者の視点の位置に応じた立体視画像を表示することができる。
【００７７】
上記実施の形態では、位置検出部１７は、シャッタ眼鏡の特徴点に基づいてそのシャッタ眼鏡を認識するものとしたが、これに限定されるものではなく、これに代えて、例えば、シャッタ眼鏡をかけた観察者自体を検出してもよい。この場合、例えば、観察者の顔を認識するようにしてもよいし、観察者の眼を検出するようにしてもよい。
【００７８】
＜２．第２の実施の形態＞
次に、本発明の第２の実施の形態に係る表示システム２について説明する。本実施の形態は、立体視画像生成部において、４つの視差画像Ａ〜Ｄに基づいて３視点分の立体視画像を生成する方法が、上記第１の実施の形態と異なるものである。すなわち、本実施の形態では、上記第１の実施の形態とは異なる方法で３視点分の立体視画像を生成する立体視画像生成部２３を用いて、表示装置２０および表示システム２を構成している。その他の構成は、上記第１の実施の形態（図１など）と同様である。なお、上記第１の実施の形態に係る表示システム１と実質的に同一の構成部分には同一の符号を付し、適宜説明を省略する。
【００７９】
図１１は、視点数が３視点の場合の、立体視画像生成部２３の動作を模式的に表すものである。立体視画像生成部２３は、視差画像Ａ，Ｂに基づいて立体視画像Ｔ１を生成し、視差画像Ｂ，Ｃに基づいて立体視画像Ｔ２を生成し、視差画像Ｃ，Ｄに基づいて立体視画像Ｔ３を生成する。具体的には、立体視画像Ｔ１の生成では、立体視画像生成部２３は、視差画像Ａをそのまま用いて左眼画像Ｌ１を生成するとともに、視差画像Ｂをそのまま用いて右眼画像Ｒ１を生成する。立体視画像Ｔ２の生成では、立体視画像生成部２３は、視差画像Ｂをそのまま用いて左眼画像Ｌ２を生成するとともに、視差画像Ｃをそのまま用いて右眼画像Ｒ２を生成する。そして、立体視画像Ｔ３の生成では、立体視画像生成部２３は、視差画像Ｃをそのまま用いて左眼画像Ｌ３を生成するとともに、視差画像Ｄをそのまま用いて右眼画像Ｒ３を生成する。
【００８０】
これにより、立体視画像Ｔ１は、被写体を、被写体に向かって左側の視点から見るときの画像となり、立体視画像Ｔ２は正面の視点から見るときの画像となり、立体視画像Ｔ３は右側の視点から見るときの画像となる。
【００８１】
なお、２視点の場合の立体視画像生成部２３の動作は、上記第１の実施の形態に係る立体視画像生成部１３の場合（図４（Ａ））と同様である。
【００８２】
立体視画像生成部２３では、この例では、視差画像Ａ〜Ｄのうちのいくつかは、異なる立体視画像を生成する為に使用される。具体的には、図１１に示したように、視差画像Ｂは、立体視画像Ｔ１，Ｔ２の両方を生成する為に使用され、視差画像Ｃは、立体視画像Ｔ２，Ｔ３の両方を生成するために使用される。言い換えれば、立体視画像Ｔ１の右眼画像Ｒ１と立体視画像Ｔ２の左眼画像Ｌ２とは同じものであり、立体視画像Ｔ２の右眼画像Ｒ２と立体視画像Ｔ３の左眼画像Ｌ３とは同じものである。
【００８３】
また、立体視画像生成部２３では、各立体視画像の左眼画像および右眼画像は、上記第１の実施の形態と異なり、視差画像Ａ〜Ｄのいずれかをそのまま用いて生成される。つまり、上記第１の実施の形態に係る立体視画像生成部１３は、所定の視差生成処理を行うが、本実施の形態に係る立体視画像生成部２３は、これを行わないため、動作の負荷を軽くすることができ、回路に要求される性能を低減することができる。
【００８４】
ここで、表示装置２０は、本発明における「立体表示装置」の一具体例に対応する。立体視画像生成部２３は、本発明における「画像生成部」の一具体例に対応する。
【００８５】
図１２は、３視点の立体視画像Ｔ１〜Ｔ３を表示する場合の、表示システム２の一動作例を表すものである。図１２において、（Ａ）は立体視画像Ｔ１の左眼画像Ｌ１を表示したときの動作を示し、（Ｂ）は立体視画像Ｔ１の右眼画像Ｒ１および立体視画像Ｔ２の左眼画像Ｌ２を表示したときの動作を示し、（Ｃ）は立体視画像Ｔ２の右眼画像Ｒ２および立体視画像Ｔ３の左眼画像Ｌ３を表示したときの動作を示し、（Ｄ）は立体視画像Ｔ３の右眼画像Ｒ３を表示したときの動作を示す。この例では、観察者９１が領域Ｚ１から表示装置２０を観察し、観察者９２が領域Ｚ２から表示装置２０を観察し、観察者９３が領域Ｚ３から表示装置２０を観察している。
【００８６】
表示装置２０が立体視画像Ｔ１の左眼画像Ｌ１を表示しているとき、表示装置２０は、図１２（Ａ）に示したように、立体視画像Ｔ１に対応する領域Ｚ１にあるシャッタ眼鏡６１に対して、左眼用シャッタ６１Ｌを開状態にするように制御を行うとともに、領域Ｚ１にはないシャッタ眼鏡６２，６３に対して、シャッタを閉状態にするように制御を行う。
【００８７】
次に、表示装置２０が立体視画像Ｔ１の右眼画像Ｒ１および立体視画像Ｔ２の左眼画像Ｌ２を表示しているとき、表示装置２０は、図１２（Ｂ）に示したように、立体視画像Ｔ１に対応する領域Ｚ１にあるシャッタ眼鏡６１に対して、右眼用シャッタ６１Ｒを開状態にするように制御し、立体視画像Ｔ２に対応する領域Ｚ２にあるシャッタ眼鏡６２に対して、左眼用シャッタ６２Ｌを開状態にするように制御し、領域Ｚ１，Ｚ２にはないシャッタ眼鏡６３に対して、シャッタを閉状態にするように制御を行う。
【００８８】
これにより、観察者９１は、図１２（Ａ），（Ｂ）に示したように、互いに視差のある左眼画像Ｌ１（図１２（Ａ））および右眼画像Ｒ１（図１２（Ｂ））をそれぞれの目で見ることにより、奥行きのある立体的な画像として感じることとなる。
【００８９】
次に、表示装置２０が立体視画像Ｔ２の右眼画像Ｒ２および立体視画像Ｔ３の左眼画像Ｌ３を表示しているとき、表示装置２０は、図１２（Ｃ）に示したように、立体視画像Ｔ２に対応する領域Ｚ２にあるシャッタ眼鏡６２に対して、右眼用シャッタ６２Ｒを開状態にするように制御し、立体視画像Ｔ３に対応する領域Ｚ３にあるシャッタ眼鏡６３に対して、左眼用シャッタ６３Ｌを開状態にするように制御し、領域Ｚ２，Ｚ３にはないシャッタ眼鏡６１に対して、シャッタを閉状態にするように制御を行う。
【００９０】
これにより、観察者９２は、図１２（Ｂ），（Ｃ）に示したように、互いに視差のある左眼画像Ｌ２（図１２（Ｂ））および右眼画像Ｒ２（図１２（Ｃ））をそれぞれの目で見ることにより、奥行きのある立体的な画像として感じることとなる。
【００９１】
そして、表示装置２０が立体視画像Ｔ３の右眼画像Ｒ３を表示しているとき、表示装置２０は、図１２（Ｄ）に示したように、立体視画像Ｔ３に対応する領域Ｚ３にあるシャッタ眼鏡６２に対して、右眼用シャッタ６３Ｒを開状態にするように制御し、領域Ｚ３にはないシャッタ眼鏡６１，６２に対して、シャッタを閉状態にするように制御を行う。
【００９２】
観察者９３は、図１２（Ｃ），（Ｄ）に示したように、互いに視差のある左眼画像Ｌ３（図１２（Ｃ））および右眼画像Ｒ３（図１２（Ｄ））をそれぞれの目で見ることにより、奥行きのある立体的な画像として感じることとなる。
【００９３】
表示システム２は、図１２（Ａ）〜（Ｄ）に示した動作を繰り返す。これにより、観察者９１は、一連の立体視画像Ｔ１（左眼画像Ｌ１および右眼画像Ｒ１）からなる映像を、観察者９２は、一連の立体視画像Ｔ２（左眼画像Ｌ２および右眼画像Ｒ２）からなる映像を、観察者９３は、一連の立体視画像Ｔ３（左眼画像Ｌ３および右眼画像Ｒ３）からなる映像を、それぞれ奥行きのある立体的な映像として認識することができる。
【００９４】
図１３は、表示装置２０における立体視画像の一表示例を表すものであり、（Ａ）は各画像の表示時間が１／６０秒の場合を示し、（Ｂ）は１／１２０秒の場合を示し、（Ｃ）は１／２４０秒の場合を示す。
【００９５】
各画像の表示時間を１／６０秒にした場合（表示例Ｌ１）では、表示装置２０は、図１３（Ａ）に示したように、１／１５秒（＝４×１／６０秒）に一回の頻度で立体視画像を書き換える。この場合、各観察者は、１／３０秒（＝２×１／６０秒）の時間において左眼画像および右眼画像を観察し、その後、１／３０秒（＝２×１／６０秒）の時間の黒画状態を経た後に、次の左眼画像および右眼画像を観察する。
【００９６】
各画像の表示時間を１／１２０秒にした場合（表示例Ｌ２）では、表示装置２０は、図１３（Ｂ）に示したように、１／３０秒（＝４×１／１２０秒）に一回の頻度で立体視画像を書き換える。この場合、各観察者は、１／６０秒（＝２×１／１２０秒）の時間において左眼画像および右眼画像を観察し、その後、１／６０秒（＝２×１／１２０秒）の時間の黒画状態を経た後に、次の左眼画像および右眼画像を観察する。
【００９７】
各画像の表示時間を１／２４０秒にした場合（表示例Ｌ３）では、表示装置２０は、図１３（Ｃ）に示したように、１／６０秒（＝４×１／２４０秒）に一回の頻度で立体視画像を書き換える。この場合、各観察者は、１／１２０秒（＝２×１／２４０秒）の時間において左眼画像および右眼画像を観察し、その後、１／１２０秒（＝２×１／２４０秒）の時間の黒画状態を経た後に、次の左眼画像および右眼画像を観察する。
【００９８】
表示例Ｌ３は、黒画状態が連続する期間が短く、観察者がちらつきを感じる可能性は低いため望ましい。なお、表示装置２０の動作は、表示例Ｌ３に限定されるものではなく、画像品質に影響のない範囲で、例えば表示例Ｌ２のようなリフレッシュレートの低い条件を使用してもよいし、逆にリフレッシュレートの高い条件を使用してもよい。
【００９９】
第２の実施の形態に係る表示例Ｌ３のリフレッシュレートは、上記第１の実施の形態に係る表示例Ｍ３（図９）のリフレッシュレートに比べ高くなっている。これは、上記第１の実施の形態に係る表示装置１０は、図８に示したように、６つの画像Ｌ１，Ｒ１，Ｌ２，Ｒ２，Ｌ３，Ｒ３を時分割的に表示したが、本実施の形態に係る表示装置２０は、図１２に示したように、４つの画像Ｌ１，（Ｒ１，Ｌ２），（Ｒ２，Ｌ３），Ｒ３を時分割的に表示するようにしたためである。すなわち、本実施の形態では、視差画像Ｂを立体視画像Ｔ１の右眼画像Ｒ１と立体視画像Ｔ２の左眼画像Ｌ２とで共用し、視差画像Ｃを立体視画像Ｔ２の右眼画像Ｒ２と立体視画像Ｔ３の左眼画像Ｌ３とで共用したためである。このように、本実施の形態では、リフレッシュレートを高めることができるため、観察者がちらつきを感じる可能性をより低くすることができる。
【０１００】
以上のように本実施の形態では、視差画像Ｂを立体視画像Ｔ１の右眼画像Ｒ１と立体視画像Ｔ２の左眼画像Ｌ２とで共用し、視差画像Ｃを立体視画像Ｔ２の右眼画像Ｒ２と立体視画像Ｔ３の左眼画像Ｌ３とで共用するようにしたので、表示装置が表示する際のリフレッシュレートを高くすることができる。
【０１０１】
本実施の形態では、立体視画像生成部が視差生成処理を行わないようにしたので、動作の負荷を軽くすることができ、回路に要求される性能を低減することができる。
【０１０２】
その他の効果は、上記第１の実施の形態の場合と同様である。
【０１０３】
以上、いくつかの実施の形態および変形例を挙げて本発明を説明したが、本発明はこれらの実施の形態等には限定されず、種々の変形が可能である。
【０１０４】
例えば、上記各実施の形態では、４つの視差画像は、放送波を受信することにより取得したが、これに限定されるものではなく、これに代えて、映像再生機器など、他の映像源から供給されるものであってもよい。
【０１０５】
例えば、上記各実施の形態では、立体視画像生成部が３視点分の立体視画像を生成するようにしたが、これに限定されるものではなく、これに代えて、例えば、３視点分の立体視画像を供給する映像源から直接取得するようにしてもよい。
【０１０６】
例えば、上記各実施の形態では、立体視画像生成部が４つの視差画像から３視点分の立体視画像を生成したが、これに限定されるものではない。例えば５つ以上の視差画像もしくは３つ以下の視差画像から３視点分の立体視画像を生成するようにしてもよいし、４つの視差画像から４視点分以上もしくは２視点分以下の立体視画像を生成するようにしてもよい。
【０１０７】
例えば、上記の各実施の形態では、設定する視点数は２視点あるいは３視点としたが、これに限定されるものではなく、これに代えて、例えば４視点以上としてもよい。
【０１０８】
例えば、上記の各実施の形態では、３つのシャッタ眼鏡を用いたが、これに限定されるものではなく、これに代えて、例えば、２つ以下もしくは４つ以上のシャッタ眼鏡を用いてもよい。
【符号の説明】
【０１０９】
１，２…表示システム、１０，２０…表示装置、１１…チューナ、１２…画像デコード部、１３，２３…立体視画像生成部、１４…表示駆動部、１５…表示部、１６…シャッタ眼鏡制御部、１７…位置検出部、１９…アンテナ、６１〜６３…シャッタ眼鏡、６１Ｌ〜６３Ｌ…左眼用シャッタ、６１Ｒ〜６３Ｒ…右眼用シャッタ、Ａ〜Ｄ…視差画像、Ｆ…フレーム、Ｐ１，Ｐ２，Ｑ１〜Ｑ３，Ｔ１〜Ｔ３…立体視画像、Ｙ１，Ｙ２，Ｚ１〜Ｚ３…領域。
【図１】
2011250368.tif 000003
【図２】
2011250368.tif 000004
【図３】
2011250368.tif 000005
【図４】
2011250368.tif 000006
【図５】
2011250368.tif 000007
【図６】
2011250368.tif 000008
【図７】
2011250368.tif 000009
【図８】
2011250368.tif 000010
【図９】
2011250368.tif 000011
【図１０】
2011250368.tif 000012
【図１１】
2011250368.tif 000013
【図１２】
2011250368.tif 000014
【図１３】
2011250368.tif 000015